【手続補正書】
【提出日】平成16年10月14日(2004.10.14)
【手続補正１】
【補正対象書類名】明細書
【補正対象項目名】全文
【補正方法】変更
【補正の内容】
【書類名】              明細書
【発明の名称】          パチンコ機
【特許請求の範囲】
【請求項１】  第１開閉部材と、前記第１開閉部材の動作により開閉される第１大入賞口と、第２開閉部材と、前記第２開閉部材の動作により開閉される第２大入賞口と、前記第１大入賞口又は前記第２大入賞口に入賞したパチンコ球が通過した場合に前記第１開閉部材又は前記第２開閉部材の動作を繰り返して行わせて前記第１大入賞口又は前記第２大入賞口を連続して開閉させる特定領域とが設けられた可動入賞装置と、前記可動入賞装置の下側に位置する始動入賞口を有するパチンコ機において、
記憶手段と、
前記始動入賞口として、第１始動入賞口と第２始動入賞口とを備え、
前記第１始動入賞口にパチンコ球が入賞した場合には前記第１開閉部材のみを動作させて前記第１大入賞口のみを開閉させるとともに前記第１開閉部材のみが動作したことを前記記憶手段に記憶させる一方、前記第２始動入賞口にパチンコ球が入賞した場合には前記第２開閉部材のみを動作させて前記第２大入賞口のみを開閉させるとともに前記第２開閉部材のみが動作したことを前記記憶手段に記憶させ、
前記可動入賞装置に入賞したパチンコ球が前記特定領域を通過した場合には、前記記憶手段の記憶内容に基づいて、前記第１開閉部材の動作を繰り返して行わせて前記第１大入賞口を連続して開閉させることが可能な第１大当たり処理又は、前記第２開閉部材の動作を繰り返して行わせて前記第２大入賞口を連続して開閉させることが可能な第２大当たり処理を実行することを特徴とするパチンコ機。
【請求項２】  請求項１に記載するパチンコ機において、
前記始動入賞口として、第３始動入賞口をも備え、
前記第３始動入賞口にパチンコ球が入賞した場合には前記第１開閉部材及び前記第２開閉部材を動作させて前記第１大入賞口及び前記第２大入賞口を開閉させることを特徴とするパチンコ機。
【請求項３】  請求項１又は請求項２に記載するパチンコ機において、
前記特定領域を通過したパチンコ球が前記第１大入賞口又は前記第２大入賞口を介して前記可動入賞装置に入賞した際の前記第１大入賞口及び前記第２大入賞口の開閉状態に応じて、前記第１大入賞口又は前記第２大入賞口を連続して開閉させる態様が決定されることを特徴とするパチンコ機。
【請求項４】  請求項１乃至請求項３のいずれか１つに記載するパチンコ機において、
前記第１開閉部材及び前記第２開閉部材が羽根式であることを特徴とするパチンコ機。
【請求項５】  請求項１乃至請求項３のいずれか１つに記載するパチンコ機において、
前記第１開閉部材及び前記第２開閉部材がスライド式であることを特徴とするパチンコ機。
【発明の詳細な説明】
【０００１】
【発明の属する技術分野】
本発明は、始動入賞口にパチンコ球が入賞した場合に、可動入賞装置の大入賞口が開閉されるパチンコ機に関する。
【０００２】
【従来の技術】
従来、第２種特別電動役物を有するパチンコ機においては、パチンコ球が第２種始動口に入賞すると、開閉部材が内外方向に回動して、大入賞口が開閉される。このとき、大入賞口に入ったパチンコ球が、第２種特別電動役物内に形成された特定領域を通過すれば、役物連続作動装置が作動することによって、開閉部材が内外方向に繰り返して回動され、大入賞口が連続的に開閉して、大当たりが発生するので、多数個の賞球がパチンコ機から排出されることを、遊技者は期待することができる。
【０００３】
さらに、実開平７−９３８１号公報においては、従来の第２種特別電動役物をベースにして、上述したゲーム性をより高めたパチンコ機の入賞装置が考案されている。かかる入賞装置においては、第１、第２入賞口という大入賞口を２つ設けることによって、第１、第２入賞口を共に開閉したり、第１、第２入賞口のうちの一方のみを開閉することによって、入賞室内への入賞球の導入態様を特異化することができ、また、入賞の難易度の設定を多様化することができるとともに、入賞球が特定領域の落入するまでに経由する２つの入賞経路を形成してあるので、入賞球が大当たり入賞するまでの大当たり入賞過程に変化を与え、これにより、ゲーム性を高めることができる。
【０００４】
【発明が解決しようとする課題】
しかしながら、実開平７−９３８１号公報に記載されたパチンコ機の入賞装置においては、始動入賞装置の複数の始動口のうち、どの始動口にパチンコ球が入賞しても、第１、第２入賞口という２つの大入賞口を、常に、同時に開閉していた。さらに、このとき、当該入賞装置内のパチンコ球が特定領域を通過して大当たりが発生しても、第１、第２入賞口という２つの大入賞口を、常に、一定の関係をもって連続的に開閉していた。
【０００５】
従って、始動入賞装置の複数の始動口のうち、どの始動口にパチンコ球が入賞したかについては、大当たり発生の前後のどちらにおいても、第１、第２入賞口という２つの大入賞口の開閉に対して何ら影響を与えることはなかった。よって、遊技者の立場からすれば、第１、第２入賞口という２つの大入賞口の開閉の違いを考慮して、始動入賞装置の複数の始動口のうち、どの始動口を狙ってパチンコ球を発射させようかというような興味を抱かせるものではなかった。
【０００６】
そこで、本発明は、上述した問題点を解決するためになされたものであり、パチンコ球が入賞した始動入賞口と可動入賞装置に設けられた２つの大入賞口の開閉の態様とに依存関係を持たせることによって、遊技者の興趣をより高めることができるパチンコ機を提供することを目的とする。
【０００７】
【課題を解決するための手段】
この目的を達成するために成された請求項１に係る発明は、第１開閉部材と、前記第１開閉部材の動作により開閉される第１大入賞口と、第２開閉部材と、前記第２開閉部材の動作により開閉される第２大入賞口と、前記第１大入賞口又は前記第２大入賞口に入賞したパチンコ球が通過した場合に前記第１開閉部材又は前記第２開閉部材の動作を繰り返して行わせて前記第１大入賞口又は前記第２大入賞口を連続して開閉させる特定領域とが設けられた可動入賞装置と、前記可動入賞装置の下側に位置する始動入賞口を有するパチンコ機において、記憶手段と、前記始動入賞口として、第１始動入賞口と第２始動入賞口とを備え、前記第１始動入賞口にパチンコ球が入賞した場合には前記第１開閉部材のみを動作させて前記第１大入賞口のみを開閉させるとともに前記第１開閉部材のみが動作したことを前記記憶手段に記憶させる一方、前記第２始動入賞口にパチンコ球が入賞した場合には前記第２開閉部材のみを動作させて前記第２大入賞口のみを開閉させるとともに前記第２開閉部材のみが動作したことを前記記憶手段に記憶させ、前記可動入賞装置に入賞したパチンコ球が前記特定領域を通過した場合には、前記記憶手段の記憶内容に基づいて、前記第１開閉部材の動作を繰り返して行わせて前記第１大入賞口を連続して開閉させることが可能な第１大当たり処理又は、前記第２開閉部材の動作を繰り返して行わせて前記第２大入賞口を連続して開閉させることが可能な第２大当たり処理を実行することを特徴とする。
【０００８】
また、請求項２に係る発明は、請求項１に記載するパチンコ機であって、前記始動入賞口として、第３始動入賞口をも備え、前記第３始動入賞口にパチンコ球が入賞した場合には前記第１開閉部材及び前記第２開閉部材を動作させて前記第１大入賞口及び前記第２大入賞口を開閉させることを特徴とする。
【０００９】
また、請求項３に係る発明は、請求項１又は請求項２に記載するパチンコ機であって、前記特定領域を通過したパチンコ球が前記第１大入賞口又は前記第２大入賞口を介して前記可動入賞装置に入賞した際の前記第１大入賞口及び前記第２大入賞口の開閉状態に応じて、前記第１大入賞口又は前記第２大入賞口を連続して開閉させる態様が決定されることを特徴とする。
【００１０】
また、請求項４に係るパチンコ機は、請求項１乃至請求項３のいずれか１つに記載するパチンコ機であって、前記第１開閉部材及び前記第２開閉部材が羽根式であることを特徴とする。
また、請求項５に係るパチンコ機は、請求項１乃至請求項３のいずれか１つに記載するパチンコ機であって、前記第１開閉部材及び前記第２開閉部材がスライド式であることを特徴とする。
【００１１】
このような構成を有する本発明のパチンコ機には、可動入賞装置と、複数の始動入賞口とが備えられてある。また、可動入賞装置には、第１大入賞口と、第２大入賞口と、第１開閉部材と、第２開閉部材と、特定領域とが設けられている。
【００１２】
そして、複数の始動入賞口として、第１始動入賞口と第２始動入賞口とを備えた場合には、第１始動入賞口にパチンコ球が入賞すると、可動入賞装置の第１開閉部材のみが動作して、可動入賞装置の第１大入賞口のみを開閉する。また、第２始動入賞口にパチンコ球が入賞すると、可動入賞装置の第２開閉部材のみが動作して、可動入賞装置の第２大入賞口のみを開閉する。
【００１３】
このとき、第１大入賞口又は第２大入賞口を介して可動入賞装置に入賞したパチンコ球が特定領域を通過すれば、第１大入賞口又は第２大入賞口を連続して開閉させて、大当たりを発生させる。その際、第１大入賞口又は第２大入賞口を連続して開閉させる態様は、特定領域を通過したパチンコ球が第１大入賞口又は第２大入賞口を介して可動入賞装置に入賞した際の第１大入賞口及び第２大入賞口の開閉状態に応じて決定される。
【００１４】
尚、大当たりが発生する前において、第１大入賞口又は第２大入賞口を開閉させるには、上述したように、複数の始動入賞口（第１始動入賞口、第２始動入賞口）のいずれかにパチンコ球を入賞させなければならず、さらに、パチンコ球が入賞した始動入賞口（第１始動入賞口、第２始動入賞口）によって、第１大入賞口及び第２大入賞口の開閉状態は異なる。従って、特定領域を通過したパチンコ球が第１大入賞口又は第２大入賞口を介して可動入賞装置に入賞した際の第１大入賞口及び第２大入賞口の開閉状態は、遊技者からすれば、パチンコ球が入賞した始動入賞口（第１始動入賞口、第２始動入賞口）をもって知ることができる。
【００１５】
すなわち、本発明のパチンコ機では、大当たり発生の前後のどちらかにおいて、パチンコ球が入賞した始動入賞口（第１始動入賞口、第２始動入賞口）と可動入賞装置に設けられた２つの大入賞口（第１大入賞口、第２大入賞口）の開閉の態様とに依存関係を持たしており、よって、遊技者に対して、第１大入賞口と、第２大入賞口という２つの大入賞口の開閉の違いを考慮させながら、複数の始動入賞口（第１始動入賞口、第２始動入賞口）のうち、どの始動入賞口（第１始動入賞口、第２始動入賞口）を狙ってパチンコ球を発射させようかというような興味を抱かせることができるので、遊技者の興趣をより高めることができる。
【００１６】
また、複数の始動入賞口として、第１始動入賞口と第２始動入賞口とに加え、第３始動入賞口とを備えた場合には、第１始動入賞口にパチンコ球が入賞すると、可動入賞装置の第１開閉部材のみが動作して、可動入賞装置の第１大入賞口のみを開閉する。また、第２始動入賞口にパチンコ球が入賞すると、可動入賞装置の第２開閉部材のみが動作して、可動入賞装置の第２大入賞口のみを開閉する。また、第３始動入賞口にパチンコ球が入賞すると、可動入賞装置の第１開閉部材及び第２開閉部材が動作して、可動入賞装置の第１大入賞口及び第２大入賞口を開閉する。
【００１７】
このとき、第１大入賞口又は第２大入賞口を介して可動入賞装置に入賞したパチンコ球が特定領域を通過すれば、第１大入賞口又は第２大入賞口を連続して開閉させて、大当たりを発生させる。その際、第１大入賞口又は第２大入賞口を連続して開閉させる態様は、特定領域を通過したパチンコ球が第１大入賞口又は第２大入賞口を介して可動入賞装置に入賞した際の第１大入賞口及び第２大入賞口の開閉状態に応じて決定される。
【００１８】
尚、大当たりが発生する前において、第１大入賞口又は第２大入賞口を開閉させるには、上述したように、複数の始動入賞口（第１始動入賞口、第２始動入賞口、第３始動入賞口）のいずれかにパチンコ球を入賞させなければならず、さらに、パチンコ球が入賞した始動入賞口（第１始動入賞口、第２始動入賞口、第３始動入賞口）によって、第１大入賞口及び第２大入賞口の開閉状態は異なる。従って、特定領域を通過したパチンコ球が第１大入賞口又は第２大入賞口を介して可動入賞装置に入賞した際の第１大入賞口及び第２大入賞口の開閉状態は、遊技者からすれば、パチンコ球が入賞した始動入賞口（第１始動入賞口、第２始動入賞口、第３始動入賞口）をもって知ることができる。
【００１９】
すなわち、本発明のパチンコ機では、大当たり発生の前後のどちらかにおいて、パチンコ球が入賞した始動入賞口（第１始動入賞口、第２始動入賞口、第３始動入賞口）と可動入賞装置に設けられた２つの大入賞口（第１大入賞口、第２大入賞口）の開閉の態様とに依存関係を持たしており、よって、遊技者に対して、第１大入賞口と、第２大入賞口という２つの大入賞口の開閉の違いを考慮させながら、複数の始動入賞口（第１始動入賞口、第２始動入賞口、第３始動入賞口）のうち、どの始動入賞口（第１始動入賞口、第２始動入賞口、第３始動入賞口）を狙ってパチンコ球を発射させようかというような興味を抱かせることができるので、遊技者の興趣をより高めることができる。
【００２０】
また、第１大入賞口を開閉させる第１開閉部材と、第２大入賞口を開閉させる第２開閉部材には、所定角度範囲を以て内外方向に回動変化する羽根式や、所定ストロークを以て左右横向きにスライド変化するスライド式がある。
【００２１】
【発明の実施の形態】
以下、本発明の第１実施の形態を図面を参照にして説明する。第１実施の形態のパチンコ機は、複数の始動入賞口として、第１始動入賞口と第２始動入賞口とを備えたものであって、以下に述べる内容に相当する以外の機能・構造については、第２種パチンコ機と同じものである。
【００２２】
図１に、第１実施の形態のパチンコ機の遊技領域を示す。図１に示すように、第１実施の形態のパチンコ機の遊技領域１Ａには、ほぼ中央に、可動入賞装置１０が設けられいる。そして、可動入賞装置１０には、第１開閉部材１１と第２開閉部材１２とが上下に設けられている。また、第１開閉部材１１と第２開閉部材１２の間には、回転盤式の振分装置１３が設けられている。さらに、振分装置１３の下方において、入賞口が形成されており、その中央に、特定領域であるＶゾーン１４が区画されている。尚、遊技領域１Ａ上の遊技くぎは省略してある。
【００２３】
また、上述した第１開閉部材１１と第２開閉部材１２は羽根式のものであり、図２〜図５に示すように、所定角度範囲を以て内外方向に回動変化する。図２は、第１開閉部材１１及び第２開閉部材１２が所定角度を以て外方向に回動した場合を示しており、このとき、第１大入賞口１５及び第２大入賞口１６が開放される。また、図３は、第１開閉部材１１及び第２開閉部材１２が所定角度を以て内方向に回動した場合を示しており、このとき、第１大入賞口１５及び第２大入賞口１６は閉鎖される。尚、図３は、図１に示す状態と同じであり、この状態は、第１開閉部材１１及び第２開閉部材１２の通常の状態である。
【００２４】
また、図４は、第１開閉部材１１が所定角度を以て外方向に回動するとともに、第２開閉部材１２が所定角度を以て内方向に回動した場合を示しており、このとき、第１大入賞口１５は開放されるが、第２大入賞口１６は閉鎖される。また、図５は、第１開閉部材１１が所定角度を以て内方向に回動するとともに、第２開閉部材１２が所定角度を以て外方向に回動した場合を示しており、このとき、第１大入賞口１５は閉鎖されるが、第２大入賞口１６は開放される。
【００２５】
このように、可動入賞装置１０においては、第１開閉部材１１が動作することによって、第１大入賞口１５が開閉する。また、第２開閉部材１２が動作することによって、第２大入賞口が開閉する。
【００２６】
また、図１に示すように、遊技領域１Ａ上においては、可動入賞装置１０の両側に、風車２、上入賞口３及び、下入賞口４が設けられている。さらに、可動入賞装置１０の下側には、始動入賞装置２０Ａが設けられている。始動入賞装置２０Ａには、複数の始動入賞口として、２個の第１始動入賞口２１、２２と、１個の第２始動入賞口２３が備えられている。
【００２７】
次に、第１実施の形態のパチンコ機のブロック図について、図６に基づいて説明する。第１実施の形態のパチンコ機は、ＣＰＵ３１、ＲＯＭ３２、ＲＡＭ３３、出力ポート３４、入力ポート３５などを有している。ＣＰＵ３１は、パチンコ機全体を制御するものであり、例えば、当該パチンコ機で展開されるゲームなどを制御する。ＲＯＭ３２は、当該パチンコ機のゲーム内容などのプログラムを記憶したものであり、例えば、後述するフローチャートのプログラムが記憶されている。ＲＡＭ３３は、当該パチンコ機のゲーム内容などのプログラムを実行する際に使用するものであり、例えば、後述するフローチャートのプログラムを実行する際に使用する第１フラグＦ１、開閉数カウンタＫ、入賞球数カウンタＣ、Ｖゾーン通過数カウンタＶなどが確保されている。
【００２８】
また、出力ポート３４には、ソレノイド駆動回路４１などが接続されている。そして、ソレノイド駆動回路４１には、第１ソレノイドＡ５１、第１ソレノイドＢ５２、第２ソレノイドＡ５３、第２ソレノイドＢ５４などが接続されている。第１ソレノイドＡ５１は、羽根式の第１開閉部材１１の一方を動作させるものである。第１ソレノイドＢ５２は、羽根式の第１開閉部材１１の他方を動作させるものである。第２ソレノイドＡ５３は、羽根式の第２開閉部材１２の一方を動作させるものである。第２ソレノイドＢ５４は、羽根式の第２開閉部材１２の他方を動作させるものである。
【００２９】
また、入力ポート３５には、第１始動入賞口スイッチＡ５５、第２始動入賞口スイッチ５６、第１始動入賞口スイッチＢ５７、カウントスイッチ５８、Ｖゾーンスイッチ５９などが接続されている。第１始動入賞口スイッチＡ５５は、第１始動入賞口２１にパチンコ球が入賞したことを検出するものである。第２始動入賞口スイッチ５６は、第２始動入賞口２３にパチンコ球が入賞したことを検出するものである。第１始動入賞口スイッチＢ５７は、第１始動入賞口２２にパチンコ球が入賞したことを検出するものである。カウントスイッチ５８は、可動入賞装置１０にパチンコ球が入賞したことを検出するものである。Ｖゾーンスイッチ５９は、可動入賞装置１０のＶゾーン１４をパチンコ球が通過したことを検出するものである。
【００３０】
次に、第１実施の形態のパチンコ機のゲーム内容を、図９〜図１３のフローチャートに基づいて説明する。図９に示すように、第１実施の形態のパチンコ機では、フラグ、カウンタの初期化（Ｓ１）、第１開閉パターン処理（Ｓ２）、第２開閉パターン処理（Ｓ３）を、順に繰り返して実行している。フラグ、カウンタの初期化（Ｓ１）では、ＲＡＭ３３において、第１フラグＦ１、開閉数カウンタＫ、入賞球数カウンタＣ、Ｖゾーン通過数カウンタＶに「０」を代入している。第１開閉パターン処理（Ｓ２）は、図１０に表したものである。第２開閉パターン処理（Ｓ３）は、図１１に表したものである。従って、ここでは、第１開閉パターン処理（Ｓ２）を図１０に基づいて説明し、その後に、第２開閉パターン処理（Ｓ３）を図１１に基づいて説明する。
【００３１】
図１０に示すように、第１開閉パターン処理では、先ず、Ｓ１１において、２個の第１始動入賞口２１、２２のいずれかにパチンコ球が入賞したか否かを判断している。その判断には、第１始動入賞口２１にパチンコ球が入賞したことを検出する第１始動入賞口スイッチＡ５５からの信号や、第１始動入賞口２２にパチンコ球が入賞したことを検出する第１始動入賞口スイッチＢ５７からの信号を利用する。
【００３２】
２個の第１始動入賞口２１、２２のいずれかにパチンコ球が入賞したと判断した場合には（Ｓ１１：ＹＥＳ）、Ｓ１２に進み、第１開閉部材１１のみを１回動作させる。具体的には、ソレノイド駆動回路４１を介して、第１ソレノイドＡ５１、第１ソレノイドＢ５２を駆動させることにより、第１開閉部材１１及び第２開閉部材１２の状態を、図３、図４、図３の順に移行させる。これにより、第１大入賞口１５が、例えば、０．９秒間程度開放される。そして、Ｓ１３において、第１フラグＦ１に「１」を代入する。一方、２個の第１始動入賞口２１、２２のいずれかにパチンコ球が入賞していないと判断した場合には（Ｓ１１：ＮＯ）、Ｓ１４に進む。
【００３３】
Ｓ１４においては、第２始動入賞口２３にパチンコ球が入賞したか否かを判断している。その判断には、第２始動入賞口２３にパチンコ球が入賞したことを検出する第２始動入賞口スイッチ５６からの信号を利用する。
【００３４】
第２始動入賞口２３にパチンコ球が入賞したと判断した場合には（Ｓ１４：ＹＥＳ）、Ｓ１５に進み、第２開閉部材１２のみを１回動作させる。具体的には、ソレノイド駆動回路４１を介して、第２ソレノイドＡ５３、第２ソレノイドＢ５４を駆動させることにより、第１開閉部材１１及び第２開閉部材１２の状態を、図３、図５、図３の順に移行させる。これにより、第２大入賞口１６が、例えば、０．９秒間程度開放される。一方、第２始動入賞口２３にパチンコ球が入賞していないと判断した場合には（Ｓ１４：ＮＯ）、Ｓ１１に戻る。
【００３５】
Ｓ１３又はＳ１５を実行した後は、Ｓ１６に進み、第１大入賞口１５又は第２大入賞口１６を介して可動入賞装置１０に入賞したパチンコ球がＶゾーン１４に通過したか否かを判断している。その判断には、パチンコ球がＶゾーン１４を通過したことを検出するＶゾーンスイッチ５９からの信号を利用する。
【００３６】
Ｖゾーン１４にパチンコ球が通過していないと判断した場合には（Ｓ１６：ＮＯ）、Ｓ１７に進み、第１フラグＦ１に「０」を代入する。その後は、Ｓ１１に戻る。一方、Ｖゾーン１４にパチンコ球が通過したと判断した場合には（Ｓ１６：ＹＥＳ）、図９に戻り、Ｓ３の第２開閉パターン処理に進む。
【００３７】
次に、第２開閉パターン処理を図１１に基づいて説明する。第１実施の形態の第２開閉パターン処理とは、第２種パチンコ機の大当たり時の処理に相当するものである。図１１に示すように、第２開閉パターン処理では、先ず、Ｓ２１において、第１フラグＦ１が「１」であるか否かを判断している。第１フラグＦ１が「１」であると判断した場合には（Ｓ２１：ＹＥＳ）、Ｓ２２に進み、図１２に示された第１大当たり処理を実行する。一方、第１フラグＦ１が「１」でないと判断した場合には（Ｓ２１：ＮＯ）、Ｓ２３に進み、図１３に示された第２大当たり処理を実行する。Ｓ２２又はＳ２３を実行した後は、図９に戻り、Ｓ１のフラグ、カウンタの初期化に進む。
【００３８】
但し、図１０に示したように、第１開閉パターン処理が終了して第２開閉パターン処理にまで進んだ際においては、第１フラグＦ１が「１」である場合とは、２個の第１始動入賞口２１、２２のいずれかにパチンコ球が入賞したときであり、第１フラグＦ１が「１」でない場合とは、第２始動入賞口２３にパチンコ球が入賞したときである。従って、第２開閉パターン処理では、２個の第１始動入賞口２１、２２のいずれかにパチンコ球が入賞した場合には、図１２に示された第１大当たり処理を実行し、第２始動入賞口２３にパチンコ球が入賞した場合には、図１３に示された第２大当たり処理を実行する。
【００３９】
ここで、図１２に示された第１大当たり処理について説明する。第１大当たり処理では、先ず、Ｓ３１において、第１開閉部材１１のみを１回動作させる。具体的には、ソレノイド駆動回路４１を介して、第１ソレノイドＡ５１、第１ソレノイドＢ５２を駆動させることにより、第１開閉部材１１及び第２開閉部材１２の状態を、図３、図４、図３の順に移行させる。これにより、第１大入賞口１５が、例えば、０．９秒間程度開放される。次に、Ｓ３２において、開閉数カウンタＫに「１」を加える。これにより、第１大入賞口１５の開放の回数を把握することができる。
【００４０】
次に、Ｓ３３では、可動入賞装置１０にパチンコ球が入賞したか否かを判断している。その判断には、可動入賞装置１０にパチンコ球が入賞したことを検出するカウントスイッチ５８からの信号を利用する。可動入賞装置１０にパチンコ球が入賞していないと判断した場合には（Ｓ３３：ＮＯ）、後述するＳ３６に進む。
【００４１】
一方、可動入賞装置１０にパチンコ球が入賞したと判断した場合には（Ｓ３３：ＹＥＳ）、Ｓ３４に進み、可動入賞装置１０に入賞したパチンコ球の数を（図１２のフローチャートでは「Ｎ」する）、入賞球数カウンタＣに加える。具体的には、第１大入賞口１５が、例えば、０．９秒間程度開放されている間に、複数個のパチンコ球が可動入賞装置１０に入賞することも考慮し、カウントスイッチ５８からの信号を数えて、入賞球数カウンタＣに加えている。そして、Ｓ３５において、可動入賞装置１０に入賞したパチンコ球がＶゾーン１４を通過したか否かを判断する。その判断には、Ｖゾーン１４をパチンコ球が通過したことを検出するＶゾーンスイッチ５９を利用する。
【００４２】
可動入賞装置１０に入賞したパチンコ球がＶゾーン１４を通過したと判断した場合には（Ｓ３５：ＹＥＳ）、Ｓ３８に進み、開閉数カウンタＫ及び入賞球数カウンタＣに「０」を代入して、開閉数カウンタＫ及び入賞球数カウンタＣをクリアする。そして、Ｓ３９において、Ｖゾーン通過数カウンタＶに「１」を加える。これにより、パチンコ球がＶゾーン１４を通過した数を把握することができる。次に、Ｓ４０において、Ｖゾーン通過数カウンタＶが「１６」であるか否かを判断する。Ｖゾーン通過数カウンタＶが「１６」でないと判断した場合には（Ｓ４０：ＮＯ）、Ｓ３１に戻る。一方、Ｖゾーン通過数カウンタＶが「１６」であると判断した場合には（Ｓ４０：ＹＥＳ）、図９に戻り、Ｓ１のフラグ、カウンタの初期化に進む。
【００４３】
また、上述したＳ３３において、可動入賞装置１０にパチンコ球が入賞していないと判断し（Ｓ３３：ＮＯ）、あるいは、上述したＳ３５において、可動入賞装置１０に入賞したパチンコ球がＶゾーン１４を通過していないと判断し（Ｓ３５：ＮＯ）、Ｓ３６に進んだ場合には、入賞球数カウンタＣが「１０」であるかを判断する。入賞球数カウンタＣが「１０」であると判断した場合には（Ｓ３６：ＹＥＳ）、図９に戻り、Ｓ１のフラグ、カウンタの初期化に進む。一方、入賞球数カウンタＣが「１０」でないと判断した場合には（Ｓ３６：ＮＯ）、Ｓ３７に進んで、開閉数カウンタＫが「１８」であるか否かを判断する。開閉数カウンタＫが「１８」でないと判断した場合には（Ｓ３７：ＮＯ）、Ｓ３１に戻る。一方、開閉数カウンタＫが「１８」であると判断した場合には（Ｓ３７：ＹＥＳ）、図９に戻り、Ｓ１のフラグ、カウンタの初期化に進む。
【００４４】
以上より、図１２の第１大当たり処理では、Ｓ３１に繰り返し戻ることによって、第１大入賞口１５が連続的に開放されるものであり、かかる第１大入賞口１５の連続的な開放は、可動入賞装置１０に入賞したパチンコ球の数（入賞球数カウンタＣ）が１０個に達した時点（Ｓ３６：ＹＥＳ）、あるいは、第１大入賞口１５の開放の回数（開閉数カウンタＫ）が１８回に達した時点（Ｓ３７：ＹＥＳ）まで行われる。尚、可動入賞装置１０に入賞したパチンコ球の数（入賞球数カウンタＣ）と、第１大入賞口１５の開放の回数（開閉数カウンタＫ）は、Ｖゾーン１４にパチンコ球が通過することによりクリアされ（Ｓ３８）、このクリアは、Ｖゾーン１４を通過するパチンコ球の数（Ｖゾーン通過数カウンタＶ）が１５個に達するまで行われる（Ｓ４０：ＮＯ）。
【００４５】
次に、図１３に示された第２大当たり処理について説明する。第２大当たり処理では、先ず、Ｓ４１において、第２開閉部材１１のみを１回動作させる。具体的には、ソレノイド駆動回路４１を介して、第２ソレノイドＡ５３、第２ソレノイドＢ５４を駆動させることにより、第１開閉部材１１及び第２開閉部材１２の状態を、図３、図５、図３の順に移行させる。これにより、第２大入賞口１６が、例えば、０．９秒間程度開放される。次に、Ｓ４２において、開閉数カウンタＫに「１」を加える。これにより、第２大入賞口１６の開放の回数を把握することができる。
【００４６】
次に、Ｓ４３では、可動入賞装置１０にパチンコ球が入賞したか否かを判断している。その判断には、可動入賞装置１０にパチンコ球が入賞したことを検出するカウントスイッチ５８からの信号を利用する。可動入賞装置１０にパチンコ球が入賞していないと判断した場合には（Ｓ４３：ＮＯ）、後述するＳ４６に進む。
【００４７】
一方、可動入賞装置１０にパチンコ球が入賞したと判断した場合には（Ｓ４３：ＹＥＳ）、Ｓ４４に進み、可動入賞装置１０に入賞したパチンコ球の数を（図１３のフローチャートでは「Ｎ」する）、入賞球数カウンタＣに加える。具体的には、第２大入賞口１６が、例えば、０．９秒間程度開放されている間に、複数個のパチンコ球が可動入賞装置１０に入賞することも考慮し、カウントスイッチ５８からの信号を数えて、入賞球数カウンタＣに加えている。そして、Ｓ４５において、可動入賞装置１０に入賞したパチンコ球がＶゾーン１４を通過したか否かを判断する。その判断には、Ｖゾーン１４をパチンコ球が通過したことを検出するＶゾーンスイッチ５９を利用する。
【００４８】
可動入賞装置１０に入賞したパチンコ球がＶゾーン１４を通過したと判断した場合には（Ｓ４５：ＹＥＳ）、Ｓ４８に進み、開閉数カウンタＫ及び入賞球数カウンタＣに「０」を代入して、開閉数カウンタＫ及び入賞球数カウンタＣをクリアする。そして、Ｓ４９において、Ｖゾーン通過数カウンタＶに「１」を加える。これにより、パチンコ球がＶゾーン１４を通過した数を把握することができる。次に、Ｓ５０において、Ｖゾーン通過数カウンタＶが「１６」であるか否かを判断する。Ｖゾーン通過数カウンタＶが「１６」でないと判断した場合には（Ｓ５０：ＮＯ）、Ｓ４１に戻る。一方、Ｖゾーン通過数カウンタＶが「１６」であると判断した場合には（Ｓ５０：ＹＥＳ）、図９に戻り、Ｓ１のフラグ、カウンタの初期化に進む。
【００４９】
また、上述したＳ４３において、可動入賞装置１０にパチンコ球が入賞していないと判断し（Ｓ４３：ＮＯ）、あるいは、上述したＳ４５において、可動入賞装置１０に入賞したパチンコ球がＶゾーン１４を通過していないと判断し（Ｓ４５：ＮＯ）、Ｓ４６に進んだ場合には、入賞球数カウンタＣが「１０」であるかを判断する。入賞球数カウンタＣが「１０」であると判断した場合には（Ｓ４６：ＹＥＳ）、図９に戻り、Ｓ１のフラグ、カウンタの初期化に進む。一方、入賞球数カウンタＣが「１０」でないと判断した場合には（Ｓ４６：ＮＯ）、Ｓ４７に進んで、開閉数カウンタＫが「１８」であるか否かを判断する。開閉数カウンタＫが「１８」でないと判断した場合には（Ｓ４７：ＮＯ）、Ｓ４１に戻る。一方、開閉数カウンタＫが「１８」であると判断した場合には（Ｓ４７：ＹＥＳ）、図９に戻り、Ｓ１のフラグ、カウンタの初期化に進む。
【００５０】
以上より、図１３の第２大当たり処理では、Ｓ４１に繰り返し戻ることによって、第２大入賞口１６が連続的に開放されるものであり、かかる第２大入賞口１６の連続的な開放は、可動入賞装置１０に入賞したパチンコ球の数（入賞球数カウンタＣ）が１０個に達した時点（Ｓ４６：ＹＥＳ）、あるいは、第１大入賞口１５の開放の回数（開閉数カウンタＫ）が１８回に達した時点（Ｓ４７：ＹＥＳ）まで行われる。尚、可動入賞装置１０に入賞したパチンコ球の数（入賞球数カウンタＣ）と、第１大入賞口１５の開放の回数（開閉数カウンタＫ）は、Ｖゾーン１４にパチンコ球が通過することによりクリアされ（Ｓ４８）、このクリアは、Ｖゾーン１４を通過するパチンコ球の数（Ｖゾーン通過数カウンタＶ）が１５個に達するまで行われる（Ｓ５０：ＮＯ）。
【００５１】
以上詳細に説明したように、第１実施の形態のパチンコ機には、可動入賞装置１０と、複数の始動入賞口を有した始動入賞装置２０Ａとが備えられてある（図１参照）。また、可動入賞装置１０には、第１大入賞口１５と、第２大入賞口１６と、第１開閉部材１１と、第２開閉部材１２と、Ｖゾーン１４とが設けられている（図１〜図５参照）。
【００５２】
そして、複数の始動入賞口として、第１始動入賞口２１、２２と第２始動入賞口２３とを備えており（図１参照）、図１０の第１開閉パターン処理において、２個の第１始動入賞口２１、２２のいずれかにパチンコ球が入賞すると（Ｓ１１：ＹＥＳ）、可動入賞装置１０の第１開閉部材１１のみが動作して（Ｓ１２）、可動入賞装置１０の第１大入賞口１５のみを開閉する。また、第２始動入賞口２３にパチンコ球が入賞すると（Ｓ１４：ＹＥＳ）、可動入賞装置１０の第２開閉部材１２のみが動作して、可動入賞装置１０の第２大入賞口１６のみを開閉する。従って、大当たり発生の前（図１０の第１開閉パターン処理の実行中）において、パチンコ球が入賞した始動入賞口（第１始動入賞口２１、２２、第２始動入賞口２３）と可動入賞装置１０に設けられた２つの大入賞口（第１大入賞口１５、第２大入賞口１６）の開閉の態様とに依存関係を持たしている。
【００５３】
さらに、このとき（図１０の第１開閉パターン処理において）、第１大入賞口１５又は第２大入賞口１６を介して可動入賞装置１０に入賞したパチンコ球がＶゾーン１４を通過した場合には（Ｓ１６：ＹＥＳ）、図１１の第２開閉パターン処理に進んで、Ｓ２２の第１大当たり処理を実行し、図１２のＳ３１を繰り返すことにより、第１大入賞口１５を連続して開閉させ、あるいは、Ｓ２３の第２大当たり処理を実行し、図１３のＳ４１を繰り返すことにより、第２大入賞口１６を連続して開閉させて、大当たりを発生させる。
【００５４】
その際、第１フラグＦ１が「１」であるか否かを判断することにより（Ｓ２１）、Ｓ２２の第１大当たり処理とＳ２３の第２大当たり処理のいずれかを実行するので、図１１の第２開閉パターン処理における第１大入賞口１５又は第２大入賞口１６を連続して開閉させる態様は、図１０の第１開閉パターン処理において、Ｖゾーン１４を通過したパチンコ球が第１大入賞口１５又は第２大入賞口１６を介して可動入賞装置１０に入賞した際の第１大入賞口１５及び第２大入賞口１６の開閉状態に応じて決定されている。従って、大当たり発生の後（すなわち、図１１の第２開閉パターン処理の実行中）においても、パチンコ球が入賞した始動入賞口（第１始動入賞口２１、２２、第２始動入賞口２３）と可動入賞装置１０に設けられた２つの大入賞口（第１大入賞口１５、第２大入賞口１６）の開閉の態様とに依存関係を持たしている。
【００５５】
尚、大当たりが発生する前（図１０の第１開閉パターン処理の実行中）において、第１大入賞口１５又は第２大入賞口１６を開閉させるには、上述したように、図１０の第１開閉パターン処理において、複数の始動入賞口（第１始動入賞口２１、２２、第２始動入賞口２３）のいずれかにパチンコ球を入賞させなければならず、さらに、パチンコ球が入賞した始動入賞口（第１始動入賞口２１、２２、第２始動入賞口２３）によって、第１大入賞口１５及び第２大入賞口１６の開閉状態は異なる（Ｓ１１：ＹＥＳ、Ｓ１４：ＹＥＳ）。従って、図１０の第１開閉パターン処理において、Ｖゾーン１４を通過したパチンコ球が第１大入賞口１５又は第２大入賞口１６を介して可動入賞装置１０に入賞した際の第１大入賞口１５及び第２大入賞口１６の開閉状態は、遊技者からすれば、パチンコ球が入賞した始動入賞口（第１始動入賞口２１、２２、第２始動入賞口２３）をもって知ることができる。
【００５６】
すなわち、第１実施の形態のパチンコ機では、大当たり発生の前後のどちらかにおいて、パチンコ球が入賞した始動入賞口（第１始動入賞口２１、２２、第２始動入賞口２３）と可動入賞装置１０に設けられた２つの大入賞口（第１大入賞口１５、第２大入賞口１６）の開閉の態様とに依存関係を持たしており、よって、遊技者に対して、第１大入賞口１５と、第２大入賞口２６という２つの大入賞口の開閉の違いを考慮させながら、複数の始動入賞口（第１始動入賞口２１、２２、第２始動入賞口２３）のうち、どの始動入賞口（第１始動入賞口２１、２２、第２始動入賞口２３）を狙ってパチンコ球を発射させようかというような興味を抱かせることができるので、遊技者の興趣をより高めることができる。
【００５７】
また、第１実施の形態のパチンコ機では、図１に示すように、遊技領域１Ａ上において、その中心線上に、第２大入賞口１６を開閉させる第２始動入賞口２３を配置するとともに、第２始動入賞口２３の両側に対称的に、第１大入賞口１５を開閉させる第１始動入賞口２１、２２を配置しているので、可動入賞装置１０に設けられた２つの大入賞口（第１大入賞口１５、第２大入賞口１６）の開閉の態様の観点からしても、複数の始動入賞口の配置バランスがよい。
【００５８】
次に、本発明の第２実施の形態を図面を参照にして説明する。第２実施の形態のパチンコ機は、複数の始動入賞口として、第１始動入賞口と第２始動入賞口と第３始動入賞口を備えたものであって、以下に述べる内容に相当する以外の機能・構造については、第２種パチンコ機と同じものである。
【００５９】
図７に、第２実施の形態のパチンコ機の遊技領域を示す。図７に示すように、第２実施の形態のパチンコ機の遊技領域１Ｂには、ほぼ中央に、可動入賞装置１０が設けられいる。そして、可動入賞装置１０には、第１開閉部材１１と第２開閉部材１２とが上下に設けられている。また、第１開閉部材１１と第２開閉部材１２の間には、回転盤式の振分装置１３が設けられている。さらに、振分装置１３の下方において、入賞口が形成されており、その中央に、特定領域であるＶゾーン１４が区画されている。尚、遊技領域１Ｂ上の遊技くぎは省略してある。
【００６０】
また、上述した第１開閉部材１１と第２開閉部材１２は羽根式のものであり、図２〜図５に示すように、所定角度範囲を以て内外方向に回動変化する。図２は、第１開閉部材１１及び第２開閉部材１２が所定角度を以て外方向に回動した場合を示しており、このとき、第１大入賞口１５及び第２大入賞口１６が開放される。また、図３は、第１開閉部材１１及び第２開閉部材１２が所定角度を以て内方向に回動した場合を示しており、このとき、第１大入賞口１５及び第２大入賞口１６は閉鎖される。尚、図３は、図７に示す状態と同じであり、この状態は、第１開閉部材１１及び第２開閉部材１２の通常の状態である。
【００６１】
また、図４は、第１開閉部材１１が所定角度を以て外方向に回動するとともに、第２開閉部材１２が所定角度を以て内方向に回動した場合を示しており、このとき、第１大入賞口１５は開放されるが、第２大入賞口１６は閉鎖される。また、図５は、第１開閉部材１１が所定角度を以て内方向に回動するとともに、第２開閉部材１２が所定角度を以て外方向に回動した場合を示しており、このとき、第１大入賞口１５は閉鎖されるが、第２大入賞口１６は開放される。
【００６２】
このように、可動入賞装置１０においては、第１開閉部材１１が動作することによって、第１大入賞口１５が開閉する。また、第２開閉部材１２が動作することによって、第２大入賞口が開閉する。
【００６３】
また、図７に示すように、遊技領域１Ｂ上においては、可動入賞装置１０の両側に、風車２、上入賞口３及び、下入賞口４が設けられている。さらに、可動入賞装置１０の下側には、始動入賞装置２０Ｂが設けられている。始動入賞装置２０Ｂには、複数の始動入賞口として、第１始動入賞口２１と、第２始動入賞口２３と、第３始動入賞口２４とが備えられている。
【００６４】
次に、第２実施の形態のパチンコ機のブロック図について、図８に基づいて説明する。第２実施の形態のパチンコ機は、ＣＰＵ３１、ＲＯＭ３２、ＲＡＭ３３、出力ポート３４、入力ポート３５などを有している。ＣＰＵ３１は、パチンコ機全体を制御するものであり、例えば、当該パチンコ機で展開されるゲームなどを制御する。ＲＯＭ３２は、当該パチンコ機のゲーム内容などのプログラムを記憶したものであり、例えば、後述するフローチャートのプログラムが記憶されている。ＲＡＭ３３は、当該パチンコ機のゲーム内容などのプログラムを実行する際に使用するものであり、例えば、後述するフローチャートのプログラムを実行する際に使用する第１フラグＦ１、第２フラグＦ２、開閉数カウンタＫ、入賞球数カウンタＣ、Ｖゾーン通過数カウンタＶなどが確保されている。
【００６５】
また、出力ポート３４には、ソレノイド駆動回路４１などが接続されている。そして、ソレノイド駆動回路４１には、第１ソレノイドＡ５１、第１ソレノイドＢ５２、第２ソレノイドＡ５３、第２ソレノイドＢ５４などが接続されている。第１ソレノイドＡ５１は、羽根式の第１開閉部材１１の一方を動作させるものである。第１ソレノイドＢ５２は、羽根式の第１開閉部材１１の他方を動作させるものである。第２ソレノイドＡ５３は、羽根式の第２開閉部材１２の一方を動作させるものである。第２ソレノイドＢ５４は、羽根式の第２開閉部材１２の他方を動作させるものである。
【００６６】
また、入力ポート３５には、第１始動入賞口スイッチＡ５５、第２始動入賞口スイッチ５６、第３始動入賞口スイッチ６０、カウントスイッチ５８、Ｖゾーンスイッチ５９などが接続されている。第１始動入賞口スイッチＡ５５は、第１始動入賞口２１にパチンコ球が入賞したことを検出するものである。第２始動入賞口スイッチ５６は、第２始動入賞口２３にパチンコ球が入賞したことを検出するものである。第３始動入賞口スイッチ６０は、第３始動入賞口２４にパチンコ球が入賞したことを検出するものである。カウントスイッチ５８は、可動入賞装置１０にパチンコ球が入賞したことを検出するものである。Ｖゾーンスイッチ５９は、可動入賞装置１０のＶゾーン１４をパチンコ球が通過したことを検出するものである。
【００６７】
次に、第２実施の形態のパチンコ機のゲーム内容を、図１４〜図１７のフローチャートに基づいて説明する。図１４に示すように、第２実施の形態のパチンコ機では、フラグ、カウンタの初期化（Ｓ１２１）、第１開閉パターン処理（Ｓ１２２）、第２開閉パターン処理（Ｓ１２３）を、順に繰り返して実行している。フラグ、カウンタの初期化（Ｓ１２１）では、ＲＡＭ３３において、第１フラグＦ１、第２フラグＦ２、開閉数カウンタＫ、入賞球数カウンタＣ、Ｖゾーン通過数カウンタＶに「０」を代入している。第１開閉パターン処理（Ｓ１２２）は、図１５に表したものである。第２開閉パターン処理（Ｓ１２３）は、図１６に表したものである。従って、ここでは、第１開閉パターン処理（Ｓ１２２）を図１５に基づいて説明し、その後に、第２開閉パターン処理（Ｓ１２３）を図１６に基づいて説明する。
【００６８】
図１５に示すように、第１開閉パターン処理では、先ず、Ｓ６１において、第１始動入賞口２１にパチンコ球が入賞したか否かを判断している。その判断には、第１始動入賞口２１にパチンコ球が入賞したことを検出する第１始動入賞口スイッチＡ５５からの信号を利用する。
【００６９】
第１始動入賞口２１にパチンコ球が入賞したと判断した場合には（Ｓ６１：ＹＥＳ）、Ｓ６２に進み、第１開閉部材１１のみを１回動作させる。具体的には、ソレノイド駆動回路４１を介して、第１ソレノイドＡ５１、第１ソレノイドＢ５２を駆動させることにより、第１開閉部材１１及び第２開閉部材１２の状態を、図３、図４、図３の順に移行させる。これにより、第１大入賞口１５が、例えば、０．９秒間程度開放される。そして、Ｓ６３において、第１フラグＦ１に「１」を代入する。一方、第１始動入賞口２１にパチンコ球が入賞していないと判断した場合には（Ｓ６１：ＮＯ）、Ｓ６４に進む。
【００７０】
Ｓ６４においては、第２始動入賞口２３にパチンコ球が入賞したか否かを判断している。その判断には、第２始動入賞口２３にパチンコ球が入賞したことを検出する第２始動入賞口スイッチ５６からの信号を利用する。
【００７１】
第２始動入賞口２３にパチンコ球が入賞したと判断した場合には（Ｓ６４：ＹＥＳ）、Ｓ６５に進み、第２開閉部材１２のみを１回動作させる。具体的には、ソレノイド駆動回路４１を介して、第２ソレノイドＡ５３、第２ソレノイドＢ５４を駆動させることにより、第１開閉部材１１及び第２開閉部材１２の状態を、図３、図５、図３の順に移行させる。これにより、第２大入賞口１６が、例えば、０．９秒間程度開放される。そして、Ｓ６６において、第２フラグＦ２に「１」を代入する。一方、第２始動入賞口２３にパチンコ球が入賞していないと判断した場合には（Ｓ６４：ＮＯ）、Ｓ６９に進む。
【００７２】
Ｓ６９においては、第３始動入賞口２４にパチンコ球が入賞したか否かを判断している。その判断には、第３始動入賞口２４にパチンコ球が入賞したことを検出する第３始動入賞口スイッチ６０からの信号を利用する。
【００７３】
第３始動入賞口２４にパチンコ球が入賞したと判断した場合には（Ｓ６９：ＹＥＳ）、Ｓ７０に進み、第１開閉部材１１と第２開閉部材１２を１回動作させる。具体的には、ソレノイド駆動回路４１を介して、第１ソレノイドＡ５１、第１ソレノイドＢ５２、第２ソレノイドＡ５３、第２ソレノイドＢ５４を駆動させることにより、第１開閉部材１１及び第２開閉部材１２の状態を、図３、図２、図３の順に移行させる。これにより、第１大入賞口１５と第２大入賞口１６が、例えば、０．９秒間程度開放される。一方、第３始動入賞口２４にパチンコ球が入賞していないと判断した場合には（Ｓ６９：ＮＯ）、Ｓ６１に戻る。
【００７４】
Ｓ６３、Ｓ６６又はＳ７０のいずれかを実行した後は、Ｓ６７に進み、第１大入賞口１５又は第２大入賞口１６を介して可動入賞装置１０に入賞したパチンコ球が、Ｖゾーン１４に通過したか否かを判断している。その判断には、パチンコ球がＶゾーン１４を通過したことを検出するＶゾーンスイッチ５９からの信号を利用する。
【００７５】
Ｖゾーン１４にパチンコ球が通過していないと判断した場合には（Ｓ６７：ＮＯ）、Ｓ６８に進み、第１フラグＦ１と第２フラグＦ２に「０」を代入する。その後は、Ｓ６１に戻る。一方、Ｖゾーン１４にパチンコ球が通過したと判断した場合には（Ｓ６７：ＹＥＳ）、図１４に戻り、Ｓ１２３の第２開閉パターン処理に進む。
【００７６】
次に、第２開閉パターン処理を図１６に基づいて説明する。第２実施の形態の第２開閉パターン処理とは、第２種パチンコ機の大当たり時の処理に相当するものである。図１６に示すように、第２開閉パターン処理では、先ず、Ｓ７１において、第１フラグＦ１が「１」であるか否かを判断している。第１フラグＦ１が「１」であると判断した場合には（Ｓ７１：ＹＥＳ）、Ｓ７２に進み、上述した図１２に示された第１大当たり処理を実行する。一方、第１フラグＦ１が「１」でないと判断した場合には（Ｓ７１：ＮＯ）、Ｓ７３に進む。Ｓ７３においては、第２フラグＦ２が「１」であるか否かを判断している。第２フラグＦ２が「１」であると判断した場合には（Ｓ７３：ＹＥＳ）、Ｓ７４に進み、上述した図１３に示された第２大当たり処理を実行する。一方、第２フラグＦ２が「１」でないと判断した場合には（Ｓ７３：ＮＯ）、図１７に示された第２大当たり処理を実行する。Ｓ７２、Ｓ７４又はＳ７５のいずれかを実行した後は、図１４に戻り、Ｓ１２１のフラグ、カウンタの初期化に進む。
【００７７】
但し、図１５に示したように、第１開閉パターン処理が終了して第２開閉パターン処理にまで進んだ際においては、第１フラグＦ１が「１」である場合とは、第１始動入賞口２１にパチンコ球が入賞したときであり、第２フラグＦ２が「１」である場合とは、第２始動入賞口２３にパチンコ球が入賞したときであり、第１フラグＦ１及ぶ第２フラグＦ２が「１」でない場合とは、第３始動入賞口２４にパチンコ球が入賞したときである。従って、第２開閉パターン処理では、第１始動入賞口２１にパチンコ球が入賞した場合には、図１２に示された第１大当たり処理を実行し、第２始動入賞口２３にパチンコ球が入賞した場合には、図１３に示された第２大当たり処理を実行し、第３始動入賞口２４にパチンコ球が入賞した場合には、図１７に示された第２大当たり処理を実行する。
【００７８】
図１２に示された第１大当たり処理と図１３に示された第２大当たり処理は、既に説明したことから、ここでは、図１７に示された第３大当たり処理について説明する。第３大当たり処理では、先ず、Ｓ８１において、第１開閉部材１１と第２開閉部材を１回動作させる。具体的には、ソレノイド駆動回路４１を介して、第１ソレノイドＡ５１、第１ソレノイドＢ５２、第２ソレノイドＡ５３、第２ソレノイドＢ５４を駆動させることにより、第１開閉部材１１及び第２開閉部材１２の状態を、図３、図２、図３の順に移行させる。これにより、第１大入賞口１５及び第２大入賞口１６が、例えば、０．９秒間程度開放される。次に、Ｓ８２において、開閉数カウンタＫに「１」を加える。これにより、第１大入賞口１５及びび第２大入賞口１６の開放の回数を把握することができる。
【００７９】
次に、Ｓ８３では、可動入賞装置１０にパチンコ球が入賞したか否かを判断している。その判断には、可動入賞装置１０にパチンコ球が入賞したことを検出するカウントスイッチ５８からの信号を利用する。可動入賞装置１０にパチンコ球が入賞していないと判断した場合には（Ｓ８３：ＮＯ）、後述するＳ８６に進む。
【００８０】
一方、可動入賞装置１０にパチンコ球が入賞したと判断した場合には（Ｓ８３：ＹＥＳ）、Ｓ８４に進み、可動入賞装置１０に入賞したパチンコ球の数を（図１７のフローチャートでは「Ｎ」する）、入賞球数カウンタＣに加える。具体的には、第１大入賞口１５及び第２大入賞口１６が、例えば、０．９秒間程度開放されている間に、複数個のパチンコ球が可動入賞装置１０に入賞することも考慮し、カウントスイッチ５８からの信号を数えて、入賞球数カウンタＣに加えている。そして、Ｓ８５において、可動入賞装置１０に入賞したパチンコ球がＶゾーン１４を通過したか否かを判断する。その判断には、Ｖゾーン１４をパチンコ球が通過したことを検出するＶゾーンスイッチ５９を利用する。
【００８１】
可動入賞装置１０に入賞したパチンコ球がＶゾーン１４を通過したと判断した場合には（Ｓ８５：ＹＥＳ）、Ｓ８８に進み、開閉数カウンタＫ及び入賞球数カウンタＣに「０」を代入して、開閉数カウンタＫ及び入賞球数カウンタＣをクリアする。そして、Ｓ８９において、Ｖゾーン通過数カウンタＶに「１」を加える。これにより、パチンコ球がＶゾーン１４を通過した数を把握することができる。次に、Ｓ９０において、Ｖゾーン通過数カウンタＶが「１６」であるか否かを判断する。Ｖゾーン通過数カウンタＶが「１６」でないと判断した場合には（Ｓ９０：ＮＯ）、Ｓ８１に戻る。一方、Ｖゾーン通過数カウンタＶが「１６」であると判断した場合には（Ｓ９０：ＹＥＳ）、図１４に戻り、Ｓ１２１のフラグ、カウンタの初期化に進む。
【００８２】
また、上述したＳ８３において、可動入賞装置１０にパチンコ球が入賞していないと判断し（Ｓ８３：ＮＯ）、あるいは、上述したＳ８５において、可動入賞装置１０に入賞したパチンコ球がＶゾーン１４を通過していないと判断し（Ｓ８：ＮＯ）、Ｓ８６に進んだ場合には、入賞球数カウンタＣが「１０」であるかを判断する。入賞球数カウンタＣが「１０」であると判断した場合には（Ｓ８６：ＹＥＳ）、図１４に戻り、Ｓ１２１のフラグ、カウンタの初期化に進む。一方、入賞球数カウンタＣが「１０」でないと判断した場合には（Ｓ８６：ＮＯ）、Ｓ８７に進んで、開閉数カウンタＫが「１８」であるか否かを判断する。開閉数カウンタＫが「１８」でないと判断した場合には（Ｓ８７：ＮＯ）、Ｓ８１に戻る。一方、開閉数カウンタＫが「１８」であると判断した場合には（Ｓ８７：ＹＥＳ）、図１４に戻り、Ｓ１２１のフラグ、カウンタの初期化に進む。
【００８３】
以上より、図１７の第３大当たり処理では、Ｓ８１に繰り返し戻ることによって、第１大入賞口１５及び第２大入賞口１６が連続的に開放されるものであり、かかる第１大入賞口１５及び第２大入賞口１６の連続的な開放は、可動入賞装置１０に入賞したパチンコ球の数（入賞球数カウンタＣ）が１０個に達した時点（Ｓ８６：ＹＥＳ）、あるいは、第１大入賞口１５及び第２大入賞口１６の開放の回数（開閉数カウンタＫ）が１８回に達した時点（Ｓ８７：ＹＥＳ）まで行われる。尚、可動入賞装置１０に入賞したパチンコ球の数（入賞球数カウンタＣ）と、第１大入賞口１５及び第２大入賞口１６の開放の回数（開閉数カウンタＫ）は、Ｖゾーン１４にパチンコ球が通過することによりクリアされ（Ｓ８８）、このクリアは、Ｖゾーン１４を通過するパチンコ球の数（Ｖゾーン通過数カウンタＶ）が１５個に達するまで行われる（Ｓ９０：ＮＯ）。
【００８４】
以上詳細に説明したように、第２実施の形態のパチンコ機には、可動入賞装置１０と、複数の始動入賞口を有した始動入賞装置２０Ｂとが備えられてある（図７参照）。また、可動入賞装置１０には、第１大入賞口１５と、第２大入賞口１６と、第１開閉部材１１と、第２開閉部材１２と、Ｖゾーン１４とが設けられている（図２〜図５、図７参照）。
【００８５】
そして、複数の始動入賞口として、第１始動入賞口２１と第２始動入賞口２３と第３始動入賞口２４とを備えており（図７参照）、図１５の第１開閉パターン処理において、第１始動入賞口２１にパチンコ球が入賞すると（Ｓ６１：ＹＥＳ）、可動入賞装置１０の第１開閉部材１１のみが動作して（Ｓ６２）、可動入賞装置１０の第１大入賞口１５のみを開閉する。また、第２始動入賞口２３にパチンコ球が入賞すると（Ｓ６４：ＹＥＳ）、可動入賞装置１０の第２開閉部材１２のみが動作して、可動入賞装置１０の第２大入賞口１６のみを開閉する。また、第３始動入賞口２４にパチンコ球が入賞すると（Ｓ６９：ＹＥＳ）、可動入賞装置１０の第１開閉部材１１と第２開閉部材１２が動作して、可動入賞装置１０の第１大入賞口１５と第２大入賞口１６を開閉する。従って、大当たり発生の前（図１５の第１開閉パターン処理の実行中）において、パチンコ球が入賞した始動入賞口（第１始動入賞口２１、第２始動入賞口２３、第３始動入賞口２４）と可動入賞装置１０に設けられた２つの大入賞口（第１大入賞口１５、第２大入賞口１６）の開閉の態様とに依存関係を持たしている。
【００８６】
さらに、このとき（図１５の第１開閉パターン処理において）、第１大入賞口１５又は第２大入賞口１６を介して可動入賞装置１０に入賞したパチンコ球がＶゾーン１４を通過した場合には（Ｓ６７：ＹＥＳ）、図１６の第２開閉パターン処理に進んで、Ｓ７２の第１大当たり処理を実行し、図１２のＳ３１を繰り返すことにより、第１大入賞口１５を連続して開閉させ、あるいは、Ｓ７４の第２大当たり処理を実行し、図１３のＳ４１を繰り返すことにより、第２大入賞口１６を連続して開閉させて、あるいは、Ｓ７５の第３大当たり処理を実行し、図１７のＳ８１を繰り返すことにより、第１大入賞口１５と第２大入賞口１６を連続して開閉させて、大当たりを発生させる。
【００８７】
その際、第１フラグＦ１が「１」であるか否かを判断することにより（Ｓ７１）、さらに、第２フラグＦ１が「１」であるか否かを判断することにより（Ｓ７３）、Ｓ７２の第１大当たり処理とＳ７４の第２大当たり処理とＳ７５の第３大当たり処理のいずれかを実行するので、図１６の第２開閉パターン処理における第１大入賞口１５又は第２大入賞口１６を連続して開閉させる態様は、図１５の第１開閉パターン処理において、Ｖゾーン１４を通過したパチンコ球が第１大入賞口１５又は第２大入賞口１６を介して可動入賞装置１０に入賞した際の第１大入賞口１５及び第２大入賞口１６の開閉状態に応じて決定されている。従って、大当たり発生の後（すなわち、図１６の第２開閉パターン処理の実行中）においても、パチンコ球が入賞した始動入賞口（第１始動入賞口２１、第２始動入賞口２３、第３始動入賞口２４）と可動入賞装置１０に設けられた２つの大入賞口（第１大入賞口１５、第２大入賞口１６）の開閉の態様とに依存関係を持たしている。
【００８８】
尚、大当たりが発生する前（図１５の第１開閉パターン処理の実行中）において、第１大入賞口１５又は第２大入賞口１６を開閉させるには、上述したように、図１５の第１開閉パターン処理において、複数の始動入賞口（第１始動入賞口２１、第２始動入賞口２３、第３始動入賞口２４）のいずれかにパチンコ球を入賞させなければならず、さらに、パチンコ球が入賞した始動入賞口（第１始動入賞口２１、第２始動入賞口２３、第３始動入賞口２４）によって、第１大入賞口１５及び第２大入賞口１６の開閉状態は異なる（Ｓ６１：ＹＥＳ、Ｓ６４：ＹＥＳ、Ｓ６９：ＹＥＳ）。従って、図１５の第１開閉パターン処理において、Ｖゾーン１４を通過したパチンコ球が第１大入賞口１５又は第２大入賞口１６を介して可動入賞装置１０に入賞した際の第１大入賞口１５及び第２大入賞口１６の開閉状態は、遊技者からすれば、パチンコ球が入賞した始動入賞口（第１始動入賞口２１、第２始動入賞口２３、第３始動入賞口２４）をもって知ることができる。
【００８９】
すなわち、第２実施の形態のパチンコ機では、大当たり発生の前後のどちらかにおいて、パチンコ球が入賞した始動入賞口（第１始動入賞口２１、第２始動入賞口２３、第３始動入賞口２４）と可動入賞装置１０に設けられた２つの大入賞口（第１大入賞口１５、第２大入賞口１６）の開閉の態様とに依存関係を持たしており、よって、遊技者に対して、第１大入賞口１５と、第２大入賞口２６という２つの大入賞口の開閉の違いを考慮させながら、複数の始動入賞口（第１始動入賞口２１、第２始動入賞口２３、第３始動入賞口２４）のうち、どの始動入賞口（第１始動入賞口２１、第２始動入賞口２３、第３始動入賞口２４）を狙ってパチンコ球を発射させようかというような興味を抱かせることができるので、遊技者の興趣をより高めることができる。
【００９０】
尚、本発明は上記実施の形態に限定されるものでなく、その趣旨を逸脱しない範囲で様々な変更が可能である。
例えば、第１実施の形態のパチンコ機において、図１１のＳ２２の第１大当たり処理又は図１１のＳ２３の第２大当たり処理にかえて、図１８に示されたその他の大当たり処理を実行してもよい。また、第２実施の形態のパチンコ機において、図１６のＳ７２の第１大当たり処理、図１６のＳ７４の第２大当たり処理、又は図１６のＳ７５の第３大当たり処理にかえて、図１８に示されたその他の大当たり処理を実行してもよい。
【００９１】
そこで、ここでは、図１８に示されたその他の大当たり処理を説明する。その他の大当たり処理では、先ず、Ｓ９１において、第１開閉部材１１のみを１回動作させる。具体的には、ソレノイド駆動回路４１を介して、第１ソレノイドＡ５１、第１ソレノイドＢ５２を駆動させることにより、第１開閉部材１１及び第２開閉部材１２の状態を、図３、図４、図３の順に移行させる。これにより、第１大入賞口１５が、例えば、０．９秒間程度開放される。
【００９２】
次に、Ｓ９２において、後述する図１９に示された作動追加処理を行う。さらに、Ｓ９３において、開閉数カウンタＫに「１」を加える。これにより、第１大入賞口１５の開放の回数を把握することができる。ここで、Ｓ９２の作動追加処理について説明すると、図１９に示すように、作動追加処理では、Ｓ１１１において、開閉数カウンタＫが「５」以上であるか否かを判断する。開閉数カウンタＫが「５」以上であると判断した場合には（Ｓ１１１：ＹＥＳ）、Ｓ１１２に進んで、第２開閉部材１２のみを１回動作させる。具体的には、ソレノイド駆動回路４１を介して、第２ソレノイドＡ５３、第２ソレノイドＢ５４を駆動させることにより、第１開閉部材１１及び第２開閉部材１２の状態を、図３、図５、図３の順に移行させる。これにより、第２大入賞口１６が、例えば、０．９秒間程度開放される。但し、図１８のＳ９１の直後に行われることから、遊技者には、第１開閉部材１１及び第２開閉部材１２の状態は、図３、図２、図３の順に移行したようにみえる。従って、第１大入賞口１５の開放の回数が５回以上になると、第１大入賞口１５と第２大入賞口１６が同時に開放されることになる。一方、開閉数カウンタＫが「５」以上でないと判断した場合には（Ｓ１１１：ＮＯ）、上述した図１８のＳ９３に進む。
【００９３】
次に、Ｓ９３において、開閉数カウンタＫに「１」を加えるた後は、Ｓ９４で、可動入賞装置１０にパチンコ球が入賞したか否かを判断している。その判断には、可動入賞装置１０にパチンコ球が入賞したことを検出するカウントスイッチ５８からの信号を利用する。可動入賞装置１０にパチンコ球が入賞していないと判断した場合には（Ｓ９４：ＮＯ）、後述するＳ９７に進む。
【００９４】
一方、可動入賞装置１０にパチンコ球が入賞したと判断した場合には（Ｓ９４：ＹＥＳ）、Ｓ９５に進み、可動入賞装置１０に入賞したパチンコ球の数を（図１８のフローチャートでは「Ｎ」する）、入賞球数カウンタＣに加える。具体的には、第１大入賞口１５が、例えば、０．９秒間程度開放されている間に、複数個のパチンコ球が可動入賞装置１０に入賞することも考慮し、カウントスイッチ５８からの信号を数えて、入賞球数カウンタＣに加えている。そして、Ｓ９６において、可動入賞装置１０に入賞したパチンコ球がＶゾーン１４を通過したか否かを判断する。その判断には、Ｖゾーン１４をパチンコ球が通過したことを検出するＶゾーンスイッチ５９を利用する。
【００９５】
可動入賞装置１０に入賞したパチンコ球がＶゾーン１４を通過したと判断した場合には（Ｓ９６：ＹＥＳ）、Ｓ９９に進み、開閉数カウンタＫ及び入賞球数カウンタＣに「０」を代入して、開閉数カウンタＫ及び入賞球数カウンタＣをクリアする。そして、Ｓ１００において、Ｖゾーン通過数カウンタＶに「１」を加える。これにより、パチンコ球がＶゾーン１４を通過した数を把握することができる。次に、Ｓ１０１において、Ｖゾーン通過数カウンタＶが「１６」であるか否かを判断する。Ｖゾーン通過数カウンタＶが「１６」でないと判断した場合には（Ｓ１０１：ＮＯ）、Ｓ９１に戻る。一方、Ｖゾーン通過数カウンタＶが「１６」であると判断した場合には（Ｓ１０１：ＹＥＳ）、図９のＳ１又は、図１４のＳ１２１に戻る。
【００９６】
また、上述したＳ９４において、可動入賞装置１０にパチンコ球が入賞していないと判断し（Ｓ９４：ＮＯ）、あるいは、上述したＳ９６において、可動入賞装置１０に入賞したパチンコ球がＶゾーン１４を通過していないと判断し（Ｓ９６：ＮＯ）、Ｓ９７に進んだ場合には、入賞球数カウンタＣが「１０」であるかを判断する。入賞球数カウンタＣが「１０」であると判断した場合には（Ｓ９７：ＹＥＳ）、図９のＳ１又は、図１４のＳ１２１に戻る。一方、入賞球数カウンタＣが「１０」でないと判断した場合には（Ｓ９７：ＮＯ）、Ｓ９８に進んで、開閉数カウンタＫが「１８」であるか否かを判断する。開閉数カウンタＫが「１８」でないと判断した場合には（Ｓ９８：ＮＯ）、Ｓ９１に戻る。一方、開閉数カウンタＫが「１８」であると判断した場合には（Ｓ９８：ＹＥＳ）、図９のＳ１又は、図１４のＳ１２１に戻る。
【００９７】
以上より、図１８のその他の大当たり処理では、Ｓ９１に繰り返し戻ることによって、第１大入賞口１５が連続的に開放されるものであり、さらに、第１大入賞口１５が５回以上連続的に開放された場合には（図１９のＳ１１１：ＹＥＳ）、第２大入賞口１６も同時に連続的に開放されるものである。このように、パチンコ球が入賞した始動入賞口（第１始動入賞口２１、２２、第２始動入賞口２３、第３始動入賞口２４）に対して依存関係にある、可動入賞装置１０に設けられた２つの大入賞口（第１大入賞口１５、第２大入賞口１６）の開閉の態様は、様々なものが考えられる。
尚、上述した各フローチャートのプログラムは、リセット割り込み毎に順次に実行される。
【００９８】
また、第１実施の形態のパチンコ機や第２実施の形態のパチンコ機においては、第１大入賞口１５を開閉させる第１開閉部材１１と、第２大入賞口１６を開閉させる第２開閉部材１２には、所定角度範囲を以て内外方向に回動変化する羽根式のものが使用されていたが、図２０に示すように、所定ストロークを以て左右横向きにスライド変化するスライド式の第１開閉部材１７と第２開閉部材１８を使用してもよい。尚、スライド式の第１開閉部材１７と第２開閉部材１８については、羽根式の第１開閉部材１１と第２開閉部材１２と同様にして、第１ソレノイドＡ５１、第１ソレノイドＢ５２、第２ソレノイドＡ５３、第２ソレノイドＢ５４で動作される。また、図２０においては、第１大入賞口１５は閉鎖された状態にあり、第２大入賞口１６は開放された状態にある。
【００９９】
【発明の効果】
本発明のパチンコ機では、大当たり発生の前後のどちらかにおいて、パチンコ球が入賞した始動入賞口（第１始動入賞口、第２始動入賞口）と可動入賞装置に設けられた２つの大入賞口（第１大入賞口、第２大入賞口）の開閉の態様とに依存関係を持たしており、よって、遊技者に対して、第１大入賞口と、第２大入賞口という２つの大入賞口の開閉の違いを考慮させながら、複数の始動入賞口（第１始動入賞口、第２始動入賞口）のうち、どの始動入賞口（第１始動入賞口、第２始動入賞口）を狙ってパチンコ球を発射させようかというような興味を抱かせることができるので、遊技者の興趣をより高めることができる。
【０１００】
また、本発明のパチンコ機では、大当たり発生の前後のどちらかにおいて、パチンコ球が入賞した始動入賞口（第１始動入賞口、第２始動入賞口、第３始動入賞口）と可動入賞装置に設けられた２つの大入賞口（第１大入賞口、第２大入賞口）の開閉の態様とに依存関係を持たしており、よって、遊技者に対して、第１大入賞口と、第２大入賞口という２つの大入賞口の開閉の違いを考慮させながら、複数の始動入賞口（第１始動入賞口、第２始動入賞口、第３始動入賞口）のうち、どの始動入賞口（第１始動入賞口、第２始動入賞口、第３始動入賞口）を狙ってパチンコ球を発射させようかというような興味を抱かせることができるので、遊技者の興趣をより高めることができる。
【図面の簡単な説明】
【図１】
第１実施の形態のパチンコ機の遊技領域を示した正面図である。
【図２】
第１開閉部材及び第２開閉部材の動作の一態様を示した可動入賞装置の正面図である。
【図３】
第１開閉部材及び第２開閉部材の動作の一態様を示した可動入賞装置の正面図である。
【図４】
第１開閉部材及び第２開閉部材の動作の一態様を示した可動入賞装置の正面図である。
【図５】
第１開閉部材及び第２開閉部材の動作の一態様を示した可動入賞装置の正面図である。
【図６】
第１実施の形態のパチンコ機のブロック図である。
【図７】
第２実施の形態のパチンコ機の遊技領域を示した正面図である。
【図８】
第２実施の形態のパチンコ機のブロック図である。
【図９】
第１実施の形態のパチンコ機のゲーム内容を示したフローチャート図である。
【図１０】
第１実施の形態のパチンコ機の第１開閉パターン処理を示したフローチャート図である。
【図１１】
第１実施の形態のパチンコ機の第２開閉パターン処理を示したフローチャート図である。
【図１２】
第１大当たり処理を示したフローチャート図である。
【図１３】
第２大当たり処理を示したフローチャート図である。
【図１４】
第２実施の形態のパチンコ機のゲーム内容を示したフローチャート図である。
【図１５】
第２実施の形態のパチンコ機の第１開閉パターン処理を示したフローチャート図である。
【図１６】
第２実施の形態のパチンコ機の第２開閉パターン処理を示したフローチャート図である。
【図１７】
第２実施の形態のパチンコ機の第３大当たり処理を示したフローチャート図である。
【図１８】
その他の当たり処理を示したフローチャート図である。
【図１９】
作動追加処理を示したフローチャート図である。
【図２０】
第１開閉部材及び第２開閉部材がスライド式であるパチンコ機の遊技領域を示した正面図である。
【符号の説明】
１０  可動入賞装置
１１、１７  第１開閉部材
１２、１８  第２開閉部材
１４  Ｖゾーン
１５  第１大入賞口
１６  第２大入賞口
２１、２２  第１始動入賞口
２３  第２始動入賞口
２４  第３始動入賞口